【手続補正書】
【提出日】平成20年2月26日(2008.2.26)
【手続補正１】
【補正対象書類名】特許請求の範囲
【補正対象項目名】請求項１
【補正方法】変更
【補正の内容】
【請求項１】
所定の払出条件が成立したことに基づいて景品遊技媒体を払い出す機能と、所定の貸出要求に応じて貸遊技媒体を払い出す機能と、を有する払出手段を備えた遊技機において、
遊技の進行を制御する遊技制御手段と、
前記遊技制御手段から送信される制御コマンドに基づく前記払出手段による前記景品遊技媒体の払出動作と、前記貸出要求に基づく前記貸遊技媒体の払出動作と、を制御する払出制御手段と、
前記払出手段の払出動作量を検出する払出動作量検出手段と、
前記払出手段から払い出された前記景品遊技媒体及び前記貸遊技媒体を検出する遊技媒体検出手段と、
を備え、
前記遊技制御手段は、
前記所定の払出条件の成立に基づいて、前記払出手段から払い出される景品遊技媒体の個数を特定可能な払出制御コマンドを前記制御コマンドとして前記払出制御手段に送信する払出制御コマンド送信手段を含み、
前記払出制御手段は、
前記払出制御コマンド送信手段から送信された前記払出制御コマンドを受信する払出制御コマンド受信手段と、
前記払出制御コマンド受信手段が受信した前記払出制御コマンドから特定される景品遊技媒体の個数の総和を示す総景品個数データを記憶する総景品個数データ記憶手段と、
前記遊技媒体検出手段による景品遊技媒体の検出に応じて、前記総景品個数データ記憶手段に記憶されている総景品個数データの値を減算する総景品個数データ減算手段と、
前記総景品個数データ減算手段により減算された総景品個数データの値が所定の終了値と合致するか否かを判別する総景品個数データ判別手段と、
前記総景品個数データ判別手段により前記総景品個数データの値が前記所定の終了値と合致しないと判別されたことに基づいて、前記払出手段から未だ払い出されていない景品遊技媒体があると判定したとき、該払出手段による景品遊技媒体の払い出し動作の終了までの払出動作量を示す払出動作量データを記憶する払出動作量記憶手段にデータを設定するデータ設定手段と、
前記払出制御コマンド受信手段が前記払出制御コマンドを受信したことに応じて、該払出制御コマンドを受信したことを示す受信フラグをオンにセットする受信フラグセット手段と、
前記払出制御コマンド受信手段が前記払出手段による払出動作中に払出制御コマンドを受信したか否かを前記受信フラグに基づいて判別する受信判別手段と、
前記受信判別手段により前記払出制御コマンドを受信したものと判別されたとき、前記払出制御コマンドから特定される遊技媒体の個数に応じて、前記総景品個数データ記憶手段に記憶されている総景品個数データの値と前記払出動作量記憶手段に記憶されている払出動作量データの値とを更新するデータ更新手段と、
前記払出動作量記憶手段に記憶されている払出動作量データが示す個数の景品遊技媒体を、前記払出手段による払出動作を開始させることにより、払い出させる払出開始手段と、
前記払出動作量検出手段により検出された前記払出手段の払出動作量に応じて、前記払出動作量記憶手段に記憶されている払出動作量データの値を減算する払出動作量減算手段と、
前記払出動作量減算手段により減算された払出動作量データの値が前記所定の終了値と合致するか否かを判別する払出動作量データ判別手段と、
前記払出動作量データ判別手段により払出動作量データの値が前記所定の終了値と合致すると判別されたとき、前記払出手段を制御して、前記景品遊技媒体の払い出し動作を停止させる払出停止手段と、
前記払出開始手段により前記払出手段による払出動作が開始された後、前記払出停止手段により該景品遊技媒体の払出動作が停止される前に、前記所定の貸出要求がされたとき、該景品遊技媒体の払出を中断させる払出中断手段と、
前記払出中断手段により景品遊技媒体の払出が中断されたとき、前記所定の貸出要求に基づく貸遊技媒体の払出を開始させる球貸開始手段と、
前記球貸開始手段により貸遊技媒体の払出が開始された後、前記所定の貸出要求に基づく貸遊技媒体の払出が終了したとき、前記払出中断手段により中断された景品遊技媒体の払出を再開させる払出再開手段と、
前記払出中断手段が景品遊技媒体の払出を中断させた後、前記払出再開手段が景品遊技媒体の払出を再開させるまでの間、前記データ更新手段による払出動作量データの更新を禁止するデータ更新禁止手段と、
を含む、
ことを特徴とする遊技機。
【手続補正２】
【補正対象書類名】明細書
【補正対象項目名】０００８
【補正方法】変更
【補正の内容】
【０００８】
上記目的を達成するため、本願の請求項１に記載の遊技機は、所定の払出条件が成立（例えば遊技球の入賞領域への入賞）したことに基づいて景品遊技媒体（例えば賞球）を払い出す機能と、所定の貸出要求に応じて貸遊技媒体（例えば貸球）を払い出す機能と、を有する払出手段（例えば払出装置５０）を備えた遊技機（例えばパチンコ遊技機１）において、遊技の進行を制御する遊技制御手段（例えば主基板１１に搭載された遊技制御用マイクロコンピュータ１１０）と、前記遊技制御手段から送信される制御コマンドに基づく前記払出手段による前記景品遊技媒体の払出動作と、前記貸出要求に基づく前記貸遊技媒体の払出動作と、を制御する払出制御手段（例えば払出制御基板１５に搭載された払出制御用マイクロコンピュータ１５０）と、前記払出手段の払出動作量を検出する払出動作量検出手段（例えば払出モータ位置センサ７１）と、前記払出手段から払い出された前記景品遊技媒体及び前記貸遊技媒体を検出する遊技媒体検出手段（例えば払出カウントスイッチ７２）と、を備え、前記遊技制御手段は、前記所定の払出条件の成立に基づいて、前記払出手段から払い出される景品遊技媒体の個数を特定可能な払出制御コマンド（例えば賞球個数を指定する払出制御コマンドＦＦＸＸ）を前記制御コマンドとして前記払出制御手段に送信する払出制御コマンド送信手段（例えばＣＰＵ１１３がステップＳ１５３のコマンドセット処理にてステップＳ２３４及びＳ２３９のコマンド送信処理を実行する部分）を含み、前記払出制御手段は、前記払出制御コマンド送信手段から送信された前記払出制御コマンドを受信する払出制御コマンド受信手段（例えばＣＰＵ１５３がステップＳ４３及びＳ４５の処理を実行する部分）と、前記払出制御コマンド受信手段が受信した前記払出制御コマンドから特定される景品遊技媒体の個数の総和を示す総景品個数データを記憶する総景品個数データ記憶手段（例えば賞球総数カウンタ１６４）と、前記遊技媒体検出手段による景品遊技媒体の検出（例えば払出カウントスイッチ７２がオンした）に応じて、前記総景品個数データ記憶手段に記憶されている総景品個数データの値を減算する総景品個数データ減算手段（例えばＣＰＵ１５３がステップＳ５１０の処理を実行する部分）と、前記総景品個数データ減算手段により減算された総景品個数データの値が所定の終了値（例えば０）と合致するか否かを判別する総景品個数データ判別手段（例えばＣＰＵ１５３がステップＳ５５５の処理を実行する部分）と、前記総景品個数データ判別手段により前記総景品個数データの値が前記所定の終了値と合致しないと判別されたこと（例えばＣＰＵ１５３がステップＳ５５５の処理にてＮｏと判別したこと）に基づいて、前記払出手段から未だ払い出されていない景品遊技媒体があると判定したとき、該払出手段による景品遊技媒体の払い出し動作の終了までの払出動作量（例えば賞球総数カウンタ１６４の値）を示す払出動作量データを記憶する払出動作量記憶手段（例えば払出動作量カウンタ１６３）にデータを設定するデータ設定手段（例えばＣＰＵ１５３がステップＳ５５７の処理を実行する部分）と、前記払出制御コマンド受信手段が前記払出制御コマンドを受信したこと（例えばＣＰＵ１５３がステップＳ５２１及びＳ５２２の処理にてＹｅｓと判別したこと）に応じて、該払出制御コマンドを受信したことを示す受信フラグ（例えば払出中受信フラグ）をオンにセットする受信フラグセット手段（例えばＣＰＵ１５３がステップＳ５２６の処理を実行する部分）と、前記払出制御コマンド受信手段が前記払出手段による払出動作中に払出制御コマンドを受信したか否かを前記受信フラグに基づいて判別する受信判別手段（例えばＣＰＵ１５３がステップＳ５６３の処理を実行する部分）と、前記受信判別手段により前記払出制御コマンドを受信したものと判別されたとき（例えばＣＰＵ１５３がステップＳ５６３の処理にてＹｅｓと判別したとき）、前記払出制御コマンドから特定される遊技媒体の個数に応じて、前記総景品個数データ記憶手段に記憶されている総景品個数データの値と前記払出動作量記憶手段に記憶されている払出動作量データの値とを更新するデータ更新手段（例えばＣＰＵ１５３がステップＳ５２３やＳ５６４の処理を実行する部分）と、前記払出動作量記憶手段に記憶されている払出動作量データが示す個数の景品遊技媒体を、前記払出手段による払出動作を開始させることにより、払い出させる払出開始手段（例えばＣＰＵ１５３がステップＳ５５８の処理を実行する部分）と、前記払出動作量検出手段により検出された前記払出手段の払出動作量（例えば払出モータ位置センサ７１がオンした回数）に応じて、前記払出動作量記憶手段に記憶されている払出動作量データの値を減算する払出動作量減算手段（例えばＣＰＵ１５３がステップＳ５０４の処理を実行する部分）と、前記払出動作量減算手段により減算された払出動作量データの値が前記所定の終了値と合致するか否かを判別する払出動作量データ判別手段（例えばＣＰＵ１５３がステップＳ５６７の処理を実行する部分）と、前記払出動作量データ判別手段により払出動作量データの値が前記所定の終了値と合致すると判別されたとき（例えばＣＰＵ１５３がステップＳ５６７の処理にてＹｅｓと判別したとき）、前記払出手段を制御して、前記景品遊技媒体の払い出し動作を停止させる払出停止手段（例えばＣＰＵ１５３がステップＳ５６７の処理にてＹｅｓと判別した後、ステップＳ５６８等の処理を実行する部分）と、前記払出開始手段により前記払出手段による払出動作が開始された後、前記払出停止手段により該景品遊技媒体の払出動作が停止される前に、前記所定の貸出要求がされたとき（例えばＣＰＵ１５３がステップＳ５６１の処理にてＹｅｓと判別したとき）、該景品遊技媒体の払出を中断させる払出中断手段（例えばＣＰＵ１５３がステップＳ５６１の処理にてＹｅｓと判別した後、ステップＳ５６８等の処理を実行する部分）と、前記払出中断手段により景品遊技媒体の払出が中断されたとき、前記所定の貸出要求に基づく貸遊技媒体の払出を開始させる球貸開始手段（例えばＣＰＵ１５３がステップＳ５３８等の処理を実行する部分）と、前記球貸開始手段により貸遊技媒体の払出が開始された後、前記所定の貸出要求に基づく貸遊技媒体の払出が終了したとき（例えばＣＰＵ１５３がステップＳ５４２等の処理を実行したとき）、前記払出中断手段により中断された景品遊技媒体の払出を再開させる払出再開手段（例えばＣＰＵ１５３がステップＳ５４２の処理を実行した後、ステップＳ５５８等の処理を実行する部分）と、前記払出中断手段が景品遊技媒体の払出を中断させた後、前記払出再開手段が景品遊技媒体の払出を再開させるまでの間、前記データ更新手段による払出動作量データの更新を禁止するデータ更新禁止手段（例えばＣＰＵ１５３がステップＳ５５２の処理にてＹｅｓと判別して、ステップＳ５６４等の処理を実行せずに賞球制御処理を終了する部分）と、を含む、ことを特徴とする。